(57)【要約】【課題】    本発明の目的は、スプリングを使用せず、衣類に負荷をそれ程かけないようにして、衣類を吊り下げることができる衣類用ハンガーを提供するものである。【解決手段】    衣類用ハンガー１は、ハンガー本体１０と、このハンガー本体１０に取り付けられたフック１１と、ハンガー本体１０の一方の端部に設けられ、スカート、スラックス等の衣類２０の腰部の内側に当接する第１の当接部１２と、ハンガー本体１０の他方の端部から突出すると共に、ハンガー本体１０内に出し入れ自在に収納される移動体１３と、ハンガー本体１０に設けられ、移動体１３の動きを止めるストッパー体１５と、移動体１３の第１の当接部１２から遠い側の端部に設けられ、スカート、スラックス等の衣類２０の腰部の内側に当接する第２の当接部１４とを備えているものである。【選択図】図１
2014226233.tif 000002
【特許請求の範囲】
【請求項１】
ハンガー本体と、
このハンガー本体に取り付けられたフックと、
前記ハンガー本体の一方の端部に設けられ、スカート、スラックス等の衣類の腰部の内側に当接する第１の当接部と、
前記ハンガー本体の他方の端部から突出すると共に、前記ハンガー本体内に出し入れ自在に収納される移動体と、
前記ハンガー本体に設けられ、前記移動体の動きを止めるストッパー体と、
前記移動体の前記第１の当接部から遠い側の端部に設けられ、スカート、スラックス等の衣類の腰部の内側に当接する第２の当接部と、
を備えていることを特徴とする衣類用ハンガー。
【請求項２】
第１の当接部と第２の当接部は、下方に向かって広がるように、ハンガー本体に取り付けられている
ことを特徴とする請求項１記載の衣類用ハンガー。
【請求項３】
第１の当接部の下端に設けられ、前記第１の当接部の下端より張り出す第１の張出部と、
第２の当接部の下端に設けられ、前記第２の当接部の下端より張り出す第２の張出部とを備え、
前記第１の張出部と前記第２の張出部は、離間するように張り出している
ことを特徴とする請求項２記載の衣類用ハンガー。
【発明の詳細な説明】
【技術分野】
【０００１】
本発明は、衣類用ハンガーに係り、特に、スプリングを使用せず、衣類に負荷をそれ程かけないようにして、衣類を吊り下げることができる衣類用ハンガーに関する。
【背景技術】
【０００２】
従来、例えば、ハンガー本体と、このハンガー本体の両側からそれぞれスライド自在な二本のアームと、この二本のアームの先端部に、前記ハンガー本体内に設けられたコイルスプリングによる弾性力により係止する圧接係止部と、を有する衣類用ハンガーがある（例えば、特許文献１参照）。
この衣類用ハンガーにあっては、衣類の腰部の内側に圧接係止部をそれぞれ当接させて衣類を吊り下げることができる。
【先行技術文献】
【特許文献】
【０００３】
【特許文献１】実開昭６２−２４７６８号公報
【発明の概要】
【発明が解決しようとする課題】
【０００４】
ところが、上記衣類用ハンガーにあっては、コイルスプリングを使わなければならず、しかも、衣類を吊り下げた状態においては、衣類の腰部の内側にコイルスプリングにより張力を与えており、常時、衣類に負荷をかけるという問題点が生じた。
【０００５】
本発明は、前記問題点を考慮したなされた衣類用ハンガーを提供することを目的とする。
【課題を解決するための手段】
【０００６】
請求項１記載の衣類用ハンガーは、ハンガー本体と、このハンガー本体に取り付けられたフックと、前記ハンガー本体の一方の端部に設けられ、スカート、スラックス等の衣類の腰部の内側に当接する第１の当接部と、前記ハンガー本体の他方の端部から突出すると共に、前記ハンガー本体内に出し入れ自在に収納される移動体と、前記ハンガー本体に設けられ、前記移動体の動きを止めるストッパー体と、前記移動体の前記第１の当接部から遠い側の端部に設けられ、スカート、スラックス等の衣類の腰部の内側に当接する第２の当接部とを備えているものである。
【０００７】
また、請求項２記載の衣類用ハンガーは、請求項１記載の衣類用ハンガーにおいて、第１の当接部と第２の当接部は、下方に向かって広がるように、ハンガー本体に取り付けられているものである。
【０００８】
また、請求項３記載の衣類用ハンガーは、請求項２記載の衣類用ハンガーにおいて、  第１の当接部の下端に設けられ、前記第１の当接部の下端より張り出す第１の張出部と、第２の当接部の下端に設けられ、前記第２の当接部の下端より張り出す第２の張出部とを備え、前記第１の張出部と前記第２の張出部は、離間するように張り出しているものである。
【発明の効果】
【０００９】
請求項１記載の衣類用ハンガーによれば、スカート、スラックス等の衣類の腰部の大きさに合わせて、移動体を動かして調整し、移動体の移動をストッパー体により阻止し、スカート、スラックス等の衣類の腰部の内側に第１の当接部と第２の当接部によりそれぞれ当接させれば、衣類に対して、余分な張力を与えず、スカート、スラックス等の衣類を吊り下げることができる。
【００１０】
また、請求項２記載の衣類用ハンガーによれば、上述した請求項１記載の発明の効果に加え、第１の当接部と第２の当接部は、下方に向かって広がるように、ハンガー本体に取り付けられているため、スカート、スラックス等の衣類が第１の当接部、第２の当接部から離脱するのを防ぐことができる。
【００１１】
また、請求項３記載の衣類用ハンガーによれば、上述した請求項２記載の発明の効果に加え、第１の当接部の下端に設けられ、前記第１の当接部の下端より張り出す第１の張出部と、第２の当接部の下端に設けられ、前記第２の当接部の下端より張り出す第２の張出部とを備え、前記第１の張出部と前記第２の張出部は、互いに離間するように張り出しているため、スカート、スラックス等の衣類が第１の当接部、第２の当接部から下方に移動しても、第１の張出部と第２の張出部にスカート、スラックス等の衣類が係止し、衣類用ハンガーから離脱するのを防ぐことができる。
【図面の簡単な説明】
【００１２】
【図１】図１は、本発明の一実施例の衣類用ハンガーの一使用状態を示す概略的正面図である。
【図２】図２は、図１の概略的平面図である。
【図３】図３は、図１の移動体の動きを説明するための概略的一部断面図である。
【図４】図４は、図１と異なる他の使用態様を示す概略的正面図である。
【図５】図５は、図１の衣類用ハンガーの概略的一部断面図である。
【図６】図６は、図５のＡ−Ａ線による概略的断面図である。
【図７】図７は、図１の移動体とストッパー体との関係を示す概略的一部断面図である。
【図８】図８は、図７のストッパー体が移動体の移動を許容する状態を示す概略的一部断面図である。
【図９】図９は、図５のＢ−Ｂ線による概略的断面図である。
【図１０】図１０は、図５のＣ−Ｃ線による概略的断面図である。
【図１１】図１１は、図１の衣類用ハンガーを分解して示す概略的分解図である。
【発明を実施するための形態】
【００１３】
本発明の一実施例のハンガー吊持具を図面（図１乃至図１１）を参照して説明する。
図１に示す１は衣類用ハンガーで、衣類用ハンガー１は、スカート、スラックス等の衣類２０の腰部の内側に当接して、該衣類を吊り下げるものである。
【００１４】
衣類用ハンガー１は、ハンガー本体１０と、このハンガー本体１０に取り付けられたフック１１とを有する。フック１１は、例えば、図１、図２に示す支持部材３０に係止する。
また、図１に示す１２は第１の当接部で、第１の当接部１２は、ハンガー本体１０の一方の端部に設けられ、スカート、スラックス等の衣類２０の腰部の内側に当接するものである。
また、図１に示す１３は移動体で、移動体１３は、ハンガー本体１０の他方の端部から突出すると共に、ハンガー本体１０内に出し入れ自在に収納されるようになっている。
また、図１に示す１４は第２の当接部で、第２の当接部１４は、移動体１３の第１の当接部１２から遠い側の端部に設けられ、スカート、スラックス等の衣類２０の腰部の内側に当接するものである。
【００１５】
上述した第１の当接部１２と第２の当接部１４は、図１に示すように、下方に向かって広がるように、ハンガー本体１０に取り付けられている。
これは、スカート、スラックス等の衣類２０が第１の当接部１２、第２の当接部１４から離脱するのを防ぐためである。
また、図１に示すＤ１は、第１の当接部１２の下端に設けられ、第１の当接部１２の下端より張り出す第１の張出部で、Ｄ２は、第２の当接部１４の下端に設けられ、第２の当接部１４の下端より張り出す第２の張出部である。
そして、第１の張出部Ｄ１と第２の張出部Ｄ２は、互いに離間するように張り出している。
これは、スカート、スラックス等の衣類２０が第１の当接部１２、第２の当接部１４から下方に移動しても、第１の張出部Ｄ１と第２の張出部Ｄ２にスカート、スラックス等の衣類２０が係止し、衣類用ハンガー１から離脱するのを防ぐためである。
【００１６】
また、図１に示す１５はストッパー体で、ストッパー体１５は、ハンガー本体１０に設けられ、移動体１３の動きを止めるものである。
具体的には、図７及び図８に示すように、ストッパー体１５の先端に設けた係止部１５Ａを移動体１３に設けた凹凸の被係止部１３Ａに、係止、非係止することにより行うものである。
ストッパー体１５は、図７及び図８に示すＸを支点として、シーソー状に移動するもので、樹脂製のハンガー本体１０の弾性力を利用して、係止部１５Ａと被係止部１３Ａとの係止、非係止を行っている。
図７及び図８に示す部材１０Ａは、ハンガー本体１０に一体成型されたもので、図８に示す矢印方向に指で押圧して、係止部１５Ａと被係止部１３Ａとの係止状態を解除し、
図８に示す矢印方向の指の押圧力を解除すると、図７に示すように、部材１０Ａの復元力により、ストッパー体１５の係止部１５Ａを被係止部１３Ａに係止するようになる。
【００１７】
従って、上述した衣類用ハンガー１によれば、スカート、スラックス等の衣類２０の腰部の大きさに合わせて、移動体１３を動かして調整し、移動体１３の移動をストッパー体１５により阻止し、スカート、スラックス等の衣類２０の腰部の内側に第１の当接部１２と第２の当接部１４によりそれぞれ当接させれば、衣類２０に対して、余分な張力を与えず、スカート、スラックス等の衣類２０を吊り下げることができる。
【符号の説明】
【００１８】
１      衣類用ハンガー
１０    ハンガー本体
１１    フック
１２    第１の当接部
１３    移動体
１４    第２の当接部
１５    ストッパー体
【図１】
2014226233.tif 000003
【図２】
2014226233.tif 000004
【図３】
2014226233.tif 000005
【図４】
2014226233.tif 000006
【図５】
2014226233.tif 000007
【図６】
2014226233.tif 000008
【図７】
2014226233.tif 000009
【図８】
2014226233.tif 000010
【図９】
2014226233.tif 000011
【図１０】
2014226233.tif 000012
【図１１】
2014226233.tif 000013